(57)【要約】【課題】衛星信号の捕捉処理が実行中であっても並行して計時処理を実行させることができるランナーズウォッチを提供する。【解決手段】ランナーズウォッチ１０は、ＧＰＳ衛星９０から送信される衛星信号を捕捉し、捕捉した衛星信号を処理するＧＰＳ信号受信部２０と、時間の経過を計測するクロノグラフ処理部３４と、画面を表示する表示部４６と、動作を指示する操作ボタン１６と、ＧＰＳ信号受信部２０が衛星信号の捕捉を開始した場合、衛星信号の捕捉状況を示す第１の画面を表示部４６に表示させ、操作ボタン１６から所定の動作が指示された場合、ＧＰＳ信号受信部２０に対して衛星信号の捕捉を継続させつつ、クロノグラフ処理部３４による計測の開始が可能であることを示す第２の画面を表示部４６に表示させる制御部３６と、を備える。【選択図】図２
2015049144.tif 000002
【特許請求の範囲】
【請求項１】
測位衛星から送信される衛星信号を捕捉し、前記衛星信号を処理する受信処理部と、
時間の経過を計測する計測処理部と、
画面を表示する表示部と、
動作を指示する指示部と、
前記受信処理部が前記衛星信号の捕捉を開始した場合、前記衛星信号の捕捉状況を示す第１の画面を前記表示部に表示させ、前記指示部から所定の動作が指示された場合、前記受信処理部に対して前記衛星信号の捕捉を継続させつつ、前記計測処理部による計測の開始が可能であることを示す第２の画面を前記表示部に表示させる制御部と、を備えることを特徴とする電子機器。
【請求項２】
請求項１に記載の電子機器において、
前記第１の画面には、前記捕捉状況に応じた前記測位衛星のイメージ画像、および前記所定の動作を前記指示部で指示するための案内画像の少なくとも１つが表示されることを特徴とする電子機器。
【請求項３】
請求項１に記載の電子機器において、
前記第１の画面には、前記捕捉状況に応じた前記測位衛星のイメージ画像、および前記所定の動作を前記指示部で指示するための案内画像が同時に表示されることを特徴とする電子機器。
【請求項４】
請求項１乃至３のいずれか１項に記載の電子機器において、
前記第２の画面には、前記計測処理部の計測に基づいて移動に所要した時間情報、および前記衛星信号に基づいて算出した移動情報の少なくとも１つが表示されることを特徴とする電子機器。
【請求項５】
請求項４に記載の電子機器において、
加速度を検出し、検出した前記加速度に基づいて移動量を算出する加速度検出部を備え、
前記制御部は、前記衛星信号の捕捉が完了していない場合、前記加速度検出部が算出する前記移動量に基づいて前記移動情報を算出することを特徴とする電子機器。
【請求項６】
請求項１乃至５のいずれか１項に記載の電子機器において、
前記受信処理部は、前記測位衛星の軌道上の位置を示す軌道情報を取得し、取得した前記軌道情報に基づいて前記測位衛星を決定することを特徴とする電子機器。
【発明の詳細な説明】
【技術分野】
【０００１】
本発明は、電子機器に関する。
【背景技術】
【０００２】
近年、下記特許文献１に示すように、ＧＰＳ（Global Positioning System）に代表される衛星測位システムを利用して、人工衛星から電波により送信される衛星信号に基づいて位置を測定し、測定した位置の時間変化に基づき、移動体の移動情報を計測する装置が実用されている。また、このような計測機能を計時機能と共に実装し、移動情報と計時情報とに基づく種々の情報を走行中に表示する多機能なウォッチも提供されている。
このような衛星測位システムを利用する場合、衛星信号を受信可能な人工衛星を決定するために、アルマナック（天体歴）やエフェメリス（放送歴）等の軌道情報を衛星から送信される航法メッセージ等から取得する。アルマナックは人工衛星の衛星軌道の概略位置に関する情報を含み、エフェメリスは人工衛星の衛星軌道の詳細な位置に関する情報を含む歴情報である。
これらの軌道情報には有効寿命がある。例えば、エフェメリスの有効寿命は数時間程度であり、アルマナックの有効寿命は数日程度である。衛星測位システムを利用する装置は、正確な位置情報を得るために有効な軌道情報を取得して保持する必要がある。従って、軌道情報が無効である場合、装置は最初に有効な軌道情報を取得し、軌道情報に基づいて人工衛星から衛星信号を捕捉し、捕捉した衛星信号から位置情報を取得する必要がある。
【先行技術文献】
【特許文献】
【０００３】
【特許文献１】特開平１０−３３２４１４号公報
【発明の概要】
【発明が解決しようとする課題】
【０００４】
しかしながら、従来の装置では、捕捉対象の人工衛星を決定し、決定した人工衛星から衛星信号を捕捉している間は、計時処理のように位置情報を使用しない処理であっても、他の処理を並行して実行させることはできなかった。従って、衛星信号の捕捉完了を待って計時処理を開始させる必要があった。
本発明は、上述の課題に鑑みてなされたものであり、衛星信号の捕捉処理が実行中であっても並行して計時処理を実行させることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子機器は、測位衛星から送信される衛星信号を捕捉し、前記衛星信号を処理する受信処理部と、時間の経過を計測する計測処理部と、画面を表示する表示部と、動作を指示する指示部と、前記受信処理部が前記衛星信号の捕捉を開始した場合、前記衛星信号の捕捉状況を示す第１の画面を前記表示部に表示させ、前記指示部から所定の動作が指示された場合、前記受信処理部に対して前記衛星信号の捕捉を継続させつつ、前記計測処理部による計測の開始が可能であることを示す第２の画面を前記表示部に表示させる制御部と、を備えることを特徴とする。
【０００７】
このような構成によれば、衛星信号の捕捉状況を示す第１の画面が表示部に表示されている状態で、指示部から所定の動作が指示された場合、受信処理部は衛星信号の捕捉を継続しつつ、表示部には計測処理部による計測の開始が可能であることを示す第２の画面が表示される。従って、衛星信号を捕捉中であっても、計測の開始が可能であることを示す第２の画面が表示されるため、衛星信号の捕捉処理と、計測処理部による計測処理を並行して実行させることができる。
【０００８】
［適用例２］
上記適用例にかかる電子機器において、前記第１の画面には、前記捕捉状況に応じた前記測位衛星のイメージ画像、および前記所定の動作を前記指示部で指示するための案内画像の少なくとも１つが表示されることが好ましい。
【０００９】
このような構成によれば、衛星信号の捕捉状況は測位衛星のイメージ画像で表示されるため、捕捉状況を視覚的に把握できる。また、第２の画面に遷移させるための指示も案内画像に従って容易に実行できる。
【００１０】
［適用例３］
上記適用例にかかる電子機器において、前記第１の画面には、前記捕捉状況に応じた前記測位衛星のイメージ画像、および前記所定の動作を前記指示部で指示するための案内画像が同時に表示されても良い。
【００１１】
このような構成によれば、衛星信号の捕捉状況が測位衛星のイメージ画像と、前記案内画像と、が表示部に同時に表示されていることから、第２の画面に遷移させるための前記案内画像を、表示部に表示させるためのユーザー操作を不要にすることができ使い勝手を良くすることができる。
【００１２】
［適用例４］
上記適用例にかかる電子機器において、前記第２の画面には、前記計測処理部の計測に基づいて移動に所要した時間情報、および前記衛星信号に基づいて算出した移動情報の少なくとも１つが表示されても良い。
【００１３】
［適用例５］
上記適用例にかかる電子機器において、加速度を検出し、検出した前記加速度に基づいて移動量を算出する加速度検出部を備え、前記制御部は、前記衛星信号の捕捉が完了していない場合、前記加速度検出部が算出する前記移動量に基づいて前記移動情報を算出することが好ましい。
【００１４】
このような構成によれば、衛星信号の捕捉が完了していない場合であっても、加速度検出部が算出する移動量に基づき、計測処理部による計測開始を起点とする移動距離等の移動情報を算出できる。
【００１５】
［適用例６］
上記適用例にかかる電子機器において、前記受信処理部は、前記測位衛星の軌道上の位置を示す軌道情報を取得し、取得した前記軌道情報に基づいて前記測位衛星を決定しても良い。
【図面の簡単な説明】
【００１６】
【図１】ＧＰＳシステムの概要を示す模式図。
【図２】本発明の実施形態に係るランナーズウォッチの機能構成を示すブロック図。
【図３】本発明の実施形態に係るランナーズウォッチにおける処理の流れを示すフローチャート。
【図４】表示画面の遷移を示す図。
【発明を実施するための形態】
【００１７】
以下、本発明の実施形態について図面を参照して説明する。
【００１８】
（実施形態）
以下、本発明の電子機器における、好適な一例について説明する。ここでは、通信システムを構成する位置情報衛星等からの電波による測位用信号等を受信して利用する電子機器であるランナーズウォッチ１０を例にして、その概要について説明する。本実施形態では、通信システムとしてＧＰＳシステムを想定するが、これには限定されず、種々の衛星測位システムを想定できる。
【００１９】
図１は、ＧＰＳシステムの概要を示す模式図である。図１に示すように、測位衛星であるＧＰＳ衛星９０は、地球の上空の所定の軌道上を周回している位置情報衛星であり、例えば１．５７５４２ＧＨｚのマイクロ波に航法メッセージ等を重畳させた、衛星信号を電波により地上に送信している。このＧＰＳ衛星９０は原子時計を搭載しており、衛星信号には原子時計で計時された極めて正確な時刻情報であるＧＰＳ時刻情報が含まれている。そのため、ＧＰＳ受信機としての機能を備えたランナーズウォッチ１０は衛星信号を受信し、内部時刻の進みまたは遅れを修正することにより、正確な時刻を表示することができる。
【００２０】
また、衛星信号にはＧＰＳ衛星９０の軌道上の位置を示す軌道情報等も含まれている。つまり、ランナーズウォッチ１０は、測位計算を行なうこともでき、通常、複数個のＧＰＳ衛星９０からそれぞれ送信された衛星信号を受信することによって、それら中に含まれる軌道情報およびＧＰＳ時刻情報を使用して測位計算を行なう機能等を有している。尚、本実施形態では、４個のＧＰＳ衛星９０から衛星信号を受信する態様について記述する。
このような測位計算により、ランナーズウォッチ１０は、現在位置に合わせて時差を修正すること等が容易にできる。更に、衛星信号を利用すれば、現在位置表示、移動距離測定、移動速度計測を行なう等の各種応用が可能であり、ランナーズウォッチ１０では、これらの情報を液晶パネル１２によりデジタル表示することが可能である。
【００２１】
本実施形態では、ランナーズウォッチ１０は、外装ケース１１と、外装ケース１１を腕１８に装着するためのベルト１９と、を備えている。外装ケース１１の側面には、操作ボタン１６（１６ａ，１６ｂ，１６ｃ，１６ｄ）が設けられている。操作ボタン１６は、指示部として機能し、ユーザーが押下することで、計測モードの選択、計測の開始、一時停止および終了を処理部３０に対して指示する。
図２は、ランナーズウォッチ１０の機能構成の一例を示すブロック図である。ランナーズウォッチ１０は、ＧＰＳアンテナ２２、ＧＰＳ信号受信部２０、センサー部２４、処理部３０、操作部４０、時計部４２、通信部４４、表示部４６および記憶部５０を備える。
【００２２】
ＧＰＳ信号受信部２０は、衛星信号の捕捉対象とするＧＰＳ衛星９０を決定し、決定したＧＰＳ衛星９０が送信する衛星信号を取得するモジュールであり、受信処理部に相当する。
ＧＰＳ信号受信部２０は、衛星信号から取得可能なアルマナックやエフェメリス等の軌道情報に基づいて捕捉するＧＰＳ衛星９０を決定する。本実施形態では、ＧＰＳ信号受信部２０は、アルマナックやエフェメリスを取得して保持し、これらの寿命が有効である場合は、保持したアルマナックやエフェメリスを使用する。
【００２３】
ＧＰＳ信号受信部２０は、アルマナックに基づいてＧＰＳ衛星９０の概略位置を取得した後、エフェメリスに基づいてＧＰＳ衛星９０の詳細な位置を取得し、取得した位置情報に基づいて受信対象とする４個のＧＰＳ衛星９０を決定し、決定したＧＰＳ衛星９０から送信される電波信号、即ちＲＦ（Radio Frequency）信号をＧＰＳアンテナ２２でそれぞれ受信する。尚、ＲＦ信号の周波数は、ＧＰＳ衛星９０および自機の移動に伴うドップラー効果による遷移するため、ＧＰＳ信号受信部２０は周波数の遷移を考慮してＲＦ信号を捕捉する。
捕捉したＲＦ信号は、所定の信号処理が施されてデジタル化された後、コード位相が判定されて捕捉した衛星信号として出力される。
尚、捕捉対象のＧＰＳ衛星９０を決定し、決定したＧＰＳ衛星９０から送信された衛星信号を捕捉するまでに所要する時間は、アルマナックやエフェメリスが有効であるか否かによって大きく変動する。例えば、保持しているアルマナックおよびエフェメリスが共に有効（ホットスタート）であれば、衛星信号の出力までは１０秒以下で完了するが、保持しているアルマナックおよびエフェメリスが共に無効であり、アルマナックの取得から開始する場合（コールドスタート）は十数分程度所要することがある。
【００２４】
センサー部２４は加速度を検出する機能を備え、例えば加速度センサーやジャイロセンサーといった慣性センサーを有して構成されるセンサーユニットである。尚、センサー部２４は加速度検出部に相当する。
操作部４０は、操作ボタン１６等を有して構成される入力装置であり、押下されたことを示す信号を処理部３０に出力する。
時計部４２は、ランナーズウォッチ１０の内部時計であり、水晶振動子及び発振回路でなる水晶発振器等を有して構成される。時計部４２の時刻情報は処理部３０に随時出力される。
【００２５】
通信部４４は、処理部３０の制御に従って、装置内部で利用される情報を外部の情報処理装置との間で送受するための通信装置である。通信部４４の通信方式としては、所定の通信規格に準拠したケーブルを介して有線接続する形式や、クレイドルと呼ばれる充電器と兼用の中間装置を介して接続する形式、近距離無線通信を利用して無線接続する形式等、種々の方式を適用可能である。
表示部４６は、液晶パネル１２のように、ＬＣＤ（Liquid Crystal Display）等を有して構成される表示装置であり、処理部３０から出力される表示信号に基づいた各種情報を表示する。
【００２６】
処理部３０は、記憶部５０に記憶されているプログラム５２に従ってランナーズウォッチ１０の各機能部を統括的に制御するプロセッサーであり、ＣＰＵ（Central Processing Unit）やＤＳＰ（Digital Signal Processor）等のプロセッサーを有して構成される。
本実施例において、処理部３０は、主要な機能部として、ＧＰＳ信号処理部３２、クロノグラフ処理部３４および制御部３６を有する。
ＧＰＳ信号処理部３２は、ＧＰＳ信号受信部２０が出力した衛星信号を取得し、取得した衛星信号を解析してメジャメント情報を演算・取得する。このメジャメント情報には、衛星信号を捕捉したコード位相やドップラー周波数といった諸量や、ランナーズウォッチ１０とＧＰＳ衛星９０との間の擬似距離や擬似距離変化率といった諸量が含まれる。
【００２７】
ＧＰＳ信号処理部３２は、４個のＧＰＳ衛星９０毎のメジャメント情報を用いて、公知の位置計算及び移動速度ベクトル計算を行い、４個のＧＰＳ衛星９０との擬似距離に基づいて自機の位置情報を算出する。
更に、ＧＰＳ信号処理部３２は、算出した自機の位置情報に基づいて、計測を開始した基準位置を起点とする移動距離や移動速度等を算出する。本実施形態では、ランナーズウォッチ１０は、衛星信号の受信を選択的に設定できるように構成されている。
クロノグラフ処理部３４は、時計部４２から出力される時刻情報に基づいて経過時間を計測し、計測した経過時間に基づいてラップタイムやスプリットタイム等の時間情報を算出する。尚、クロノグラフ処理部３４は計測処理部に相当する。
制御部３６は、ＧＰＳ信号受信部２０、ＧＰＳ信号処理部３２およびクロノグラフ処理部３４等の各機能部の動作を制御する機能や、それぞれの処理結果等を表示するための表示画面を生成し、表示部４６に表示させる機能を備える。
【００２８】
本実施形態では、制御部３６は、各機能部の処理状況に応じて、衛星信号の捕捉状態を示す表示画面（サーチ画面）を表示する衛星捕捉表示モード、現在の時刻を表示する表示画面（ホーム画面）を表示する時刻表示モード、およびユーザーの走行時間、走行距離や速度等の移動情報を示す表示画面（クロノグラフ画面）を表示するクロノグラフ表示モード、の何れかに遷移し、それぞれに応じた表示画面を表示する。尚、サーチ画面は第１の画面に相当し、クロノグラフ画面は第２の画面に相当する。
また、制御部３６は表示部４６に表示する表示画面を切り替える表示画面切り替え部３８を備える。表示画面切り替え部３８は、操作部４０の指示に基づいて、現在実行中の機能部の処理を継続させた状態で、現在遷移している表示モードの表示画面に替えて、他の表示モードの表示画面を表示部４６に表示させる機能を備える。
例えば、ＧＰＳ信号受信部２０による衛星信号の捕捉処理を継続させた状態で、表示部４６にはサーチ画面に替えてクロノグラフ画面を表示させることができる。尚、クロノグラフ画面は、種々の計測動作を指示可能に表示し、ユーザーが所望の動作を指示した場合、制御部３６は、捕捉処理と、指示された動作の処理を並行して実行する。
【００２９】
尚、ＧＰＳ信号受信部２０が衛星信号を捕捉処理中に移動距離の計測が指示された場合、処理部３０は、ＧＰＳ信号処理部３２による位置情報の算出に替えて、センサー部２４の慣性センサーの出力信号に基づいて移動量を算出し、算出した移動量に基づいて移動距離を導出しても良い。
記憶部５０は、ＲＯＭ（Read Only Memory）やフラッシュＲＯＭ、ＲＡＭ（Random Access Memory）等の記憶装置を有して構成され、処理部３０がランナーズウォッチ１０を制御するためのプログラム５２や、各種アプリケーション処理を実行するためのデータ５４等が記憶される。尚、データ５４は、ホーム画面を表示するためのホーム画面データ５５、サーチ画面を表示するためのサーチ画面データ５６およびクロノグラフ画面を表示するためのクロノグラフ画面データ５７等を含む。
【００３０】
図３は、ランナーズウォッチ１０における処理の流れを示すフローチャートであり、図４の表示画面の遷移を示す図を適宜参照して説明する。尚、以下の説明では、制御部３６は、クロノグラフ画面には移動距離のみを表示する態様に限定して説明する。
ランナーズウォッチ１０が起動すると、処理部３０は、ホームポジションであって、衛星信号を受信しないように設定された待機状態に遷移すると共に、制御部３６は時刻表示モードに遷移し、図４（ａ）に示すように、ホーム画面として現在の時刻を表示部４６に表示させる（ステップＳ１００）。
次に、処理部３０は、ユーザーが衛星信号を受信するように設定することにより、ＧＰＳ衛星捕捉が指示されたか、否かを判定し（ステップＳ１０２）、ＧＰＳ衛星捕捉が指示されない場合（ステップＳ１０２でＮｏ）、ステップＳ１０２の判定を繰り返す。
【００３１】
本実施形態では、ホーム画面を表示している場合に所定の操作ボタン１６を押下すると選択画面（図示は略す。）が表示され、ユーザーが選択画面からクロノグラフ機能を選択した場合、ＧＰＳ衛星捕捉が指示される。このようにして、ＧＰＳ衛星捕捉が指示された場合（ステップＳ１０２でＹｅｓ）、制御部３６は、衛星捕捉表示モードに遷移し、図４（ｂ）に示すように捕捉状態を示すサーチ画面を表示部４６に表示させ（ステップＳ１０４）、処理部３０は、捕捉するＧＰＳ衛星９０を決定し、決定したＧＰＳ衛星９０から送信される衛星信号を捕捉する衛星捕捉処理を開始する（ステップＳ１０６）。
本実施形態では、制御部３６はＧＰＳ衛星９０毎の衛星信号の捕捉状況をサーチ画面の衛星数で視覚的に表示している。例えば、図４（ｂ）は、捕捉状況をＧＰＳ衛星９０のイメージ画像で表示し、測位計算のために捕捉すべき４個のＧＰＳ衛星９０のうち１個のＧＰＳ衛星９０を捕捉したことを示している。また、図４（ｃ）は捕捉すべき４個のＧＰＳ衛星９０のうち３個のＧＰＳ衛星９０を捕捉したことを示している。このように視覚的に表示することで、ユーザーは捕捉終了までに要する大まかな時間を推測できる。
尚、捕捉状況は衛星数による表示には限定されず、プログレスバーや、捕捉割合や捕捉数を数値表示で表示する態様も想定できる。
【００３２】
また、本実施形態では、サーチ画面にはＧＰＳ衛星９０毎の衛星信号の捕捉状況に加え、操作ボタン１６で指示する案内画像として２つの選択肢を表示する。一方は、所定の動作に相当し、衛星捕捉表示モードをスキップして次に移行するモード（クロノグラフ表示モード）への遷移を指示する「Ｓｋｉｐ」選択肢であり、他方は、衛星捕捉表示モードをキャンセルして最初の時刻表示モードへの遷移を指示する「Ｃａｎｃｅｌ」選択肢である。図４（ｂ）は、「Ｓｋｉｐ」選択肢が選択された状態であり、操作ボタン１６の何れかが押下されることでスキップが実行される。
つまり、図４（ｂ）の構成にすることにより、「Ｓｋｉｐ」選択肢が選択（ハイライト）されていることから、操作ボタン１６を１プッシュすることで計測開始の待機状態を示すクロノグラフ計測画面へ簡単にスキップをさせることができる。続いて、操作ボタン１６を１プッシュすることで経過時間計測をスタートさせることができるため、ユーザーに対して使い勝手の良い電子機器および案内画面表示が提供できる。
尚、先頭に「Ｃａｎｃｅｌ」選択肢が表示される設定はユーザーにより変更および登録できる態様も想定できる。また、衛星信号の捕捉状況に応じて、「Ｓｋｉｐ」選択肢が拡大または縮小して表示される態様も想定できる。
【００３３】
次に、処理部３０は４個のＧＰＳ衛星９０の衛星信号に対する捕捉が終了したか、否かを判定する（ステップＳ１０８）。ここで、捕捉が終了した場合（ステップＳ１０８でＹｅｓ）、処理部３０は衛星捕捉処理を終了する（ステップＳ１１０）。本実施形態では、４個のＧＰＳ衛星９０の衛星信号を捕捉した場合、図４（ｄ）に示すような捕捉終了画面を表示する。
次に、処理部３０は、クロノグラフ処理可能な状態に遷移すると共に、制御部３６はクロノグラフ表示モードに遷移し、図４（ｅ）に示すように、クロノグラフ画面を表示部４６に表示させる（ステップＳ１１２）。この場合、ＧＰＳ信号処理部３２が計測した移動距離は初期化され、表示部４６に表示される移動距離は初期値が表示される。
【００３４】
次に、処理部３０は、操作部４０からの操作により計時処理の実行が指示されたか、否かを判定する（ステップＳ１１４）。ここで、計時処理の実行が指示された場合（ステップＳ１１４でＹｅｓ）、指示された計時処理を実行し（ステップＳ１１６）、ステップＳ１１２に戻る。他方で、計時処理の実行が指示されない場合（ステップＳ１１４でＮｏ）、ステップＳ１１２に戻る。
このようにして、システムからの割り込み指示による他のモードへの遷移や、操作ボタン１６の押下により終了が指示されるまでクロノグラフ表示モードを維持した状態が継続される。
ここで、ステップＳ１０８の判定に戻り、４個のＧＰＳ衛星９０の衛星信号の捕捉が終了していない場合（ステップＳ１０８でＮｏ）、処理部３０は、「Ｓｋｉｐ」選択肢に対応する操作ボタン１６が押下され、スキップが指示されたか、否かを判定する（ステップＳ１２０）。
ここで、スキップが指示されていない場合（ステップＳ１２０でＮｏ）、処理部３０は衛星捕捉処理を継続し（ステップＳ１３０）、ステップＳ１０８に戻る。
【００３５】
他方で、スキップが指示された場合（ステップＳ１２０でＹｅｓ）、制御部３６はクロノグラフ表示モードに遷移し、サーチ画面に替えてクロノグラフ画面（図４（ｅ））を表示部４６に表示させる（ステップＳ１２２）。
更に、処理部３０は、クロノグラフ処理可能な状態に遷移すると共に、衛星捕捉処理は継続する（ステップＳ１２４）。
次に、処理部３０は、操作部４０からの操作により計時処理の実行が指示されたか、否かを判定する（ステップＳ１２６）。ここで、計時処理の実行が指示された場合（ステップＳ１２６でＹｅｓ）、指示された計時処理を実行し（ステップＳ１２８）、ステップＳ１０８に戻る。他方で、計時処理の実行が指示されない場合（ステップＳ１２６でＮｏ）、ステップＳ１０８に戻る。
【００３６】
以上述べた実施形態によれば、以下のような効果を奏する。
（１）ランナーズウォッチ１０は、ＧＰＳ衛星９０の衛星信号を捕捉中は捕捉状況を衛星毎に示すサーチ画面を表示部４６に表示し、捕捉中にユーザーのスキップ指示により計時測定可能な状態への遷移が指示された場合には、衛星信号の捕捉を継続した状態で表示部４６にクロノグラフ画面を表示し、計時指示に応じて計時処理も並行して実行する。従って、ユーザーは、ランナーズウォッチ１０を使用して計時する場合、ＧＰＳ衛星９０の捕捉終了を待つことなく、クロノグラフ機能を即座に実行させることができる。
（２）ランナーズウォッチ１０がＧＰＳ衛星９０から送信された衛星信号を捕捉している場合、表示部４６はＧＰＳ衛星９０毎の捕捉状況を視覚的に示すサーチ画面を表示するため、ユーザーは捕捉終了までに要する残り時間を推測でき、推測結果に基づいて効率良くスキップ指示することができる。
【００３７】
以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００３８】
１０…ランナーズウォッチ、１１…外装ケース、１２…液晶パネル、１６…操作ボタン、１８…腕、１９…ベルト、２０…ＧＰＳ信号受信部、２２…ＧＰＳアンテナ、２４…センサー部、３０…処理部、３２…ＧＰＳ信号処理部、３４…クロノグラフ処理部、３６…制御部、３８…画面切り替え部、４０…操作部、４２…時計部、４４…通信部、４６…表示部、５０…記憶部、５２…プログラム、５４…データ、５５…ホーム画面データ、５６…サーチ画面データ、５７…クロノグラフ画面データ、９０…ＧＰＳ衛星。
【図１】
2015049144.tif 000003
【図２】
2015049144.tif 000004
【図３】
2015049144.tif 000005
【図４】
2015049144.tif 000006